(57)【特許請求の範囲】
【請求項１】
フェムト基地局およびマクロ基地局を有する通信システムの干渉制御方法であって、
通信端末機が、前記通信端末機が登録されたフェムト基地局を有するマクロセルへ進入するとき、前記マクロ基地局が前記通信端末機のホームセルの進入を前記通信端末機に通知するステップと、
前記通信端末機が、前記ホームセルで予め設定された送信の強さでフェムト駆動制御メッセージを前記フェムト基地局に伝送するステップと、
前記フェムト駆動制御メッセージの受信時、前記フェムト基地局が、前記フェムト基地局による干渉を制御するために予めオフされている送信部をオン状態に切り換えるステップと、
を含むことを特徴とする干渉制御方法。
【請求項２】
前記マクロ基地局が前記通信端末機に前記フェムト駆動制御メッセージを伝送するためのフェムト駆動制御資源を割り当てるステップと、
前記マクロ基地局が前記フェムト基地局に前記フェムト駆動制御メッセージをモニタリングするように前記フェムト駆動制御資源を通知するステップと、
をさらに含むことを特徴とする請求項１に記載の干渉制御方法。
【請求項３】
前記マクロ基地局が、前記通信端末機が前記ホームセルへ進入したことを前記フェムト基地局に通知するステップをさらに含むことを特徴とする請求項１又は２に記載の干渉制御方法。
【請求項４】
前記マクロ基地局とフェムト基地局は、ＳＯＮ（Ｓｅｌｆ−Ｏｒｇａｎｉｚｉｎｇ  Ｎｅｔｗｏｒｋｓ）サーバを通じて通信することを特徴とする請求項１ないし３のいずれか１項に記載の干渉制御方法。
【請求項５】
前記通信端末機がフェムト領域から離脱するとき、前記フェムト基地局が前記送信部をオフ状態に切り替えることを特徴とする請求項１ないし４のいずれか一項に記載の干渉制御方法。
【請求項６】
前記予め設定された送信の強さは、前記通信端末機が予め設定されたフェムト領域に位置するとき、前記フェムト基地局が、前記フェムト駆動制御メッセージを受信するための値として設定されることを特徴とする請求項１ないし５のいずれか一項に記載の干渉制御方法。
【請求項７】
前記マクロ基地局が、前記通信端末機が前記ホームセルへ進入したことをＳＯＮ（Ｓｅｌｆ−Ｏｒｇａｎｉｚｉｎｇ  Ｎｅｔｗｏｒｋｓ）サーバに通知するステップをさらに含むことを特徴とする請求項１ないし６のいずれか一項に記載の干渉制御方法。
【請求項８】
前記ＳＯＮサーバは、前記マクロセルへ進入したことが前記マクロ基地局から通知されれば、前記マクロ基地局に前記通信端末機のためのフェムト駆動制御資源を要請するステップと、
前記フェムト駆動制御資源が要請されれば、前記マクロ基地局が、前記通信端末機に前記フェムト駆動制御メッセージを伝送するように前記フェムト駆動制御資源を割り当てるステップと、
をさらに含むことを特徴とする請求項７に記載の干渉制御方法。
【請求項９】
前記ＳＯＮサーバが、前記フェムト基地局に前記フェムト駆動制御メッセージをモニタリングするように前記フェムト駆動制御資源を通知するステップをさらに含むことを特徴とする請求項８に記載の干渉制御方法。
【請求項１０】
フェムト領域を管理し、予め登録された通信端末機に通信サービスを提供するための送信部を備えるフェムト基地局と、
前記フェムト基地局が設置されたマクロセルを管理し、前記マクロセルに前記通信端末機の進入時、前記通信端末機がホームセルへ進入したことを前記通信端末機に通知するマクロ基地局と、を含み、
前記フェムト基地局は、
前記通信端末機からのフェムト駆動制御メッセージの受信時、前記フェムト基地局による干渉を制御するために予めオフされている前記送信部をオン状態に切り替えることを特徴とする通信システム。
【請求項１１】
前記マクロ基地局は、
前記通信端末機に前記フェムト駆動制御メッセージを伝送するためのフェムト駆動制御資源を割り当て、前記フェムト基地局に前記フェムト駆動制御メッセージをモニタリングするように前記フェムト駆動制御資源を通知することを特徴とする請求項１０に記載の通信システム。
【請求項１２】
前記フェムト駆動制御メッセージの送信の強さは、前記通信端末機が予め設定されたフェムト領域に位置するとき、前記フェムト基地局が前記フェムト駆動制御メッセージを受信するための値として設定されることを特徴とする請求項１０又は１１に記載の通信システム。
【請求項１３】
前記マクロ基地局は、
前記ホームセルであることを通知するとき、前記通信端末機が前記マクロセルへ進入したことを前記フェムト基地局に通知することを特徴とする請求項１０ないし１２のいずれか一項に記載の通信システム。
【請求項１４】
前記フェムト基地局は、
前記通信端末機が前記フェムト領域から離脱するとき、前記送信部をオフさせることを特徴とする請求項１０ないし１３のいずれか一項に記載の通信システム。
【請求項１５】
前記マクロ基地局とフェムト基地局との間の通信を中継するためのＳＯＮ（Ｓｅｌｆ−Ｏｒｇａｎｉｚｉｎｇ  Ｎｅｔｗｏｒｋｓ）サーバをさらに含むことを特徴とする請求項１０ないし１４のいずれか一項に記載の通信システム。
【請求項１６】
前記ＳＯＮサーバは、
前記マクロ基地局で前記通信端末機が前記マクロセルへ進入したことが通知されれば、前記マクロ基地局に前記通信端末機のためのフェムト駆動制御資源を要請し、前記フェムト基地局に前記フェムト駆動制御メッセージをモニタリングするように前記フェムト駆動制御資源を通知することを特徴とする請求項１５に記載の通信システム。
【請求項１７】
前記マクロ基地局は、
前記フェムト駆動制御資源が要請されれば、前記通信端末機に前記フェムト駆動制御メッセージを伝送するための前記フェムト駆動制御資源を割り当てることを特徴とする請求項１６に記載の通信システム。
【発明の詳細な説明】
【技術分野】
【０００１】
本発明は、通信システムおよびその通信方法に関し、特に、通信サービスを提供するための送信部を備えるフェムト基地局を有する通信システムおよびその干渉制御方法に関する。
【背景技術】
【０００２】
一般的に通信システムは、複数のマクロセル（ｍａｃｒｏ  ｃｅｌｌ）からなる。マクロセルは、それぞれのマクロ基地局によって管理され、該当マクロセル内の通信端末機に通信サービスを提供する。このとき、特定マクロセルで通信端末機別に信号環境は変化する可能性があるが、マクロ基地局は、通信サービスを提供するのに通信端末機別の信号環境を考慮することができない。これによって、通信システムで通信サービスの品質劣化および遅延などが発生する。これによって、通信システムにおいてマクロ基地局と通信端末機との間に中継器（ｒｅｐｅａｔｅｒ）、リモートユニット（ｒｅｍｏｔｅ  ｕｎｉｔ）のような媒介装置がさらに設置される。しかしながら、マクロ基地局と媒介装置は、サービス事業者によって設置され、通信システムで媒介装置がさらに設置されることによってサービス事業者の支出費用などが増加する可能性がある。また、通信システムにおいてマクロ基地局と媒介装置とを連係させるのに困難があり得る。
【０００３】
したがって、上記した問題点を克服するために、通信システムでマクロセル内にマクロ基地局とは別にフェムト基地局を設置する方案が提案されている。このとき、フェムト基地局は、ユーザの必要に応じて、例えば、家庭または事務室などに設置される宅内型基地局を意味する。このようなフェムトセルは、サービス事業者の追加支出費用なしで、該当フェムト基地局に隣接した通信端末機の信号環境改善および通信サービスの品質向上を図ることができる。
【発明の概要】
【発明が解決しようとする課題】
【０００４】
しかしながら、前記通信システムにおいて、図１に示すように、マクロ基地局１１とフェムト基地局２１のそれぞれの信号が通信端末機３１に干渉として作用する可能性がある。または、前記のような通信システムにおいて、図１に示すように、隣接して設置されたフェムト基地局２１の信号が通信端末機３１に干渉として作用する可能性がある。これは、マクロ基地局１１およびフェムト基地局２１は、それぞれ最適の位置に設置されるが、マクロ基地局１１またはフェムト基地局２１を設置するのに周辺領域の干渉の可能性を考慮することが困難であるためである。例えば、フェムト基地局２１が前方向性の放射パターンを有するアンテナを介して信号を送受信し、フェムト基地局２１に隣接した通信端末機３１は、マクロ基地局１１とともにフェムト基地局２１の信号を同時に受信して干渉が発生することができる。または、通信端末機３１は、他のフェムト基地局２１の信号を受信して干渉が発生することもある。
【課題を解決するための手段】
【０００５】
前記課題を解決するための本発明に係る通信システムは、フェムト領域を管理し、予め登録された通信端末機に通信サービスを提供するための送信部を備えるフェムト基地局と、前記フェムト基地局が設置されたマクロセルを管理し、前記マクロセルに前記通信端末機の進入時、前記通信端末機がホームセル（Ｈｏｍｅ  Ｃｅｌｌ）へ進入したことを通知するマクロ基地局と、を含む。また、本発明に係る通信システムにおいて、前記フェムト基地局は、前記通信端末機においてフェムト駆動制御メッセージの受信時、前記フェムト基地局による干渉を制御するために、予めオフされている前記送信部をオン状態に切り換える。
【０００６】
一方、前記課題を解決するための本発明に係る通信システムの干渉制御方法は、通信端末機が、前記通信端末機が登録されたフェムト基地局を有するマクロセルへ進入するとき、前記マクロ基地局が前記通信端末機のホームセルの進入を通知するステップと、前記通信端末機が、前記ホームセルで予め設定された送信の強さでフェムト駆動制御メッセージを前記フェムト基地局に伝送するステップと、前記フェムト駆動制御メッセージの受信時、前記フェムト基地局が、前記フェムト基地局による干渉を制御するために予めオフされている送信部をオン状態に切り換えるステップと、を含むことを特徴とする。
【発明の効果】
【０００７】
したがって、上記した本発明に係るフェムト基地局を有する通信システムおよびその干渉制御方法は、通信端末機で干渉が発生することを抑制することができる。すなわち、フェムト基地局が送信部をオフさせることによって、フェムト基地局で不必要に信号を送信することを抑制することができる。ひいては、フェムト基地局が、通信端末機との距離または通信端末機の登録有無によって送信部をオンさせる時点を判断することによって、フェムト基地局で不必要に信号を送信することをより効率的に抑制することができる。これによって、フェムト基地局で送信される信号によって通信端末機に干渉が発生することを抑制することができる。これによって、通信システムでフェムト基地局の駆動時、通信端末機に発生する可能性のある干渉を制御することができる。
【図面の簡単な説明】
【０００８】
【図１】一般的な通信システムの構成を示す構造図である。
【図２】本発明の実施形態に係る通信システムの構成を示す構造図である。
【図３】本発明の実施形態に係る通信システムの構成を示す構造図である。
【図４】本発明の第１実施形態に係る干渉制御手続きを示すシーケンス図である。
【図５】本発明の第２実施形態に係る干渉制御手続きを示すシーケンス図である。
【図６】本発明の第３実施形態に係る干渉制御手続きを示すシーケンス図である。
【発明を実施するための形態】
【０００９】
以下、添付された図面を参照して本発明の実施形態をより詳細に説明する。添付された図面において同一の構成要素は、同一の符号を示すことに留意すべきである。また、本発明の要旨を不明確にする公知技術および構成についての詳細な説明は省略する。
【００１０】
図２および図３は、本発明の実施形態に係る通信システムの構成を示す構造図である。
【００１１】
図２および図３を参照すると、通信システムは、複数のマクロセル１００からなる。このような通信システムは、それぞれのマクロセル１００を管理するためのマクロ基地局１１０と、マクロセル１００で特定フェムト領域２００を制御するための少なくとも一つのフェムト基地局２１０と、マクロセル１００の内外部または特定フェムト領域２００の内外部に移動可能な通信端末機３１０と、を含む。このとき、マクロ基地局１１０とフェムト基地局２１０は、直接的にまたは間接的に通信を行うことができる。
【００１２】
このとき、特定マクロセル１００へ進入時、通信端末機３１０はマクロ基地局１１０と接続する。また、該当マクロセル１００で特定フェムト領域２００へ進入時、通信端末機３１０は該当フェムト領域２００のフェムト基地局２１０と接続する。ここで、通信端末機３１０は、該当フェムト基地局２１０に通信可能に予め登録されていてもよい。また、通信端末機３１０は、マクロ基地局１１０またはフェムト基地局２１０を通じて通信サービスを利用することができる。
【００１３】
このような通信システムにおいて、フェムト基地局２１０は、本発明の実施形態によって該当フェムト領域２００内の通信端末機３１０の存在有無に応じて送信部をオン（ＯＮ）またはオフ（ＯＦＦ）させる。すなわち、該当フェムト領域２００に通信端末機３１０が存在しなければ、フェムト基地局２１０は、該当フェムト領域２００に通信サービスを提供しなくてもよいので送信部をオフさせる。また、予め登録された通信端末機３１０が該当フェムト領域２００に隣接した位置に移動するとき、フェムト基地局２１０は、該当フェムト領域２００へ通信サービスを提供するために送信部をオンさせる。
【００１４】
また、通信端末機３１０は、フェムト基地局２１０の送信部の駆動を制御するためのＦＴＰＯ（Ｆｅｍｔｏ−ｃｅｌｌ  Ｔｘ  Ｐｏｗｅｒ  Ｏｎ／ｏｆｆ）メッセージを伝送する。このとき、通信端末機３１０は、該当通信端末機３１０が予め登録されているフェムト基地局２１０が設置されたマクロセル１００でＦＴＰＯメッセージを伝送することができる。また、通信端末機３１０は、予め設定された送信の強さでＦＴＰＯメッセージを伝送することができる。これによって、受信部を通じてＦＴＰＯメッセージを受信するとき、フェムト基地局２１０は、送信部をオンまたはオフさせることができる。
【００１５】
図４は、本発明の第１実施形態に係る干渉制御手続きを示すシーケンス図である。このとき、マクロ基地局１１０とフェムト基地局２１０との間の直接的な無線通信が可能な場合を仮定して説明する。
【００１６】
図４を参照すると、本発明の実施形態に係る干渉制御手続きは、特定フェムト基地局２１０がステップＳ４１１で送信部をオフさせることから出発する。このとき、特定フェムト領域２００に通信端末機３１０が存在しなければ、該当フェムト領域２００のフェムト基地局２１０は送信部をオフさせることができる。この後、マクロ基地局１１０と通信端末機３１０がステップＳ４１３で相互接続する。すなわち、通信端末機３１０が図２に示すように、特定マクロセル１００へ進入するとき、該当マクロセル１００のマクロ基地局１１０と通信端末機３１０が相互接続する。これによって、マクロ基地局１１０は、マクロセル１００内の通信端末機３１０に通信サービスを提供することができる。
【００１７】
次に、通信端末機３１０と接続するとき、マクロ基地局１１０は、ステップＳ４１５で該当マクロセル１００が通信端末機３１０のホームセル（Ｈｏｍｅ  Ｃｅｌｌ；ＨＣ）であるか否かを判断する。すなわち、マクロ基地局１１０は、該当マクロセル１００に通信端末機３１０が予め登録されたフェムト基地局２１０が設置されているか否かを判断する。設置されていれば、マクロ基地局１１０は、該当マクロセル１００が通信端末機３１０のホームセルであると判断する。これのために、マクロ基地局１１０は、該当マクロセル１００に設置されたフェムト基地局２１０のリスト、およびそれぞれのフェムト基地局２１０に予め登録された通信端末機３１０のリストを、予め保存していてもよい。
【００１８】
次に、ステップＳ４１５でホームセルであると判断すれば、マクロ基地局１１０は、ステップＳ４１７で通信端末機３１０にホームセルの進入通知メッセージを伝送する。すなわち、マクロ基地局１１０は、該当マクロセル１００が通信端末機３１０のホームセルであることを通信端末機３１０に通知する。このとき、マクロ基地局１１０は、通信端末機３１０にホームセルの指示メッセージ（ＨＣ  Ｉｎｄｉｃａｔｉｏｎ  ｍｅｓｓａｇｅ；ＨＣＩ  ｍｅｓｓａｇｅ）を伝送することができる。また、マクロ基地局１１０は、ステップＳ４１９で通信端末機３１０が予め登録されたフェムト基地局２１０に端末隣接通知メッセージを伝送する。すなわち、マクロ基地局１１０は、フェムト基地局２１０に予め登録された通信端末機３１０が該当マクロセル１００へ進入したことをフェムト基地局２１０に通知する。このとき、端末隣接通知メッセージの受信時、フェムト基地局２１０は、ステップＳ４２１でマクロ基地局１１０に端末隣接確認メッセージを伝送する。すなわち、フェムト基地局２１０は、通信端末機３１０が該当フェムト領域２００に隣接して位置することを確認し、マクロ基地局１１０に応答する。
【００１９】
次に、マクロ基地局１１０は、ステップＳ４２３で通信端末機３１０にフェムト駆動制御資源割り当てメッセージを伝送する。すなわち、マクロ基地局１１０は、通信端末機３１０において特定目的、例えば、フェムト基地局２１０の送信部をオンまたはオフさせるためのフェムト駆動制御メッセージの伝送に利用するためのフェムト駆動制御資源を割り当て、これを通信端末機３１０に通知する。このとき、フェムト駆動制御資源メッセージの受信時、通信端末機３１０は、ステップＳ４２５でマクロ基地局１１０にフェムト駆動制御資源確認メッセージを伝送する。すなわち、通信端末機３１０は、該当通信端末機３１０のフェムト駆動制御資源を確認し、マクロ基地局１１０に応答する。また、マクロ基地局１１０は、ステップＳ４２７でフェムト基地局２１０にフェムト駆動制御資源通知メッセージを伝送する。すなわち、マクロ基地局１１０は、通信端末機３１０のフェムト駆動制御資源をフェムト基地局２１０に通知する。
【００２０】
続いて、フェムト駆動制御資源通知メッセージを受信するとき、フェムト基地局２１０は、ステップＳ４２９で通信端末機３１０のフェムト駆動制御資源をモニタリングする。また、通信端末機３１０は、ステップＳ４３１でフェムト駆動制御メッセージを伝送する。このとき、通信端末機３１０は、該当フェムト駆動制御資源を通じてフェムト駆動制御メッセージを伝送する。また、通信端末機３１０は、予め設定された送信の強さでフェムト駆動制御メッセージを伝送する。ここで、送信の強さは、通信端末機３１０が該当フェムト領域２００に位置するとき、フェムト基地局２１０がフェムト駆動制御メッセージを受信するための値として設定されてもよい。すなわち、通信端末機３１０が図３に示すように、フェムト領域２００の内部へ進入するとき、フェムト基地局２１０はフェムト駆動制御メッセージを受信することができる。または、通信端末機３１０がフェムト領域２００の外部でフェムト駆動制御メッセージを送信しても、フェムト基地局２１０はフェムト駆動制御メッセージを受信できないこともある。さらに、フェムト駆動制御メッセージは、該当通信端末機３１０のユーザ識別情報（Ｕｓｅｒ  ＩＤｅｎｔｉｆｉｅｒ；ＵＩＤ）を含む。
【００２１】
最後に、フェムト駆動制御資源をモニタリングしてフェムト駆動制御メッセージを受信するとき、フェムト基地局２１０は、ステップＳ４３３で送信部をオンさせる。すなわち、フェムト基地局２１０は、該当フェムト領域２００で通信端末機３１０の存在を確認し、通信端末機３１０に通信サービスを提供するために送信部をオフ状態からオン状態に切り換える。このとき、フェムト基地局２１０は、フェムト駆動制御メッセージのユーザ識別情報を通じて通信端末機３１０が予め登録されているか否かを判断することができる。予め登録されたと判断されれば、フェムト基地局２１０は送信部をオンさせることができる。この後、フェムト基地局２１０は、ステップＳ４３５で送信部を通じてフェムト情報（ｓｙｓｔｅｍ  ｉｎｆｏｒｍａｔｉｏｎ）をブロードキャストする。これによって、フェムト基地局２１０と通信端末機３１０が相互接続することができ、フェムト基地局２１０がマクロ基地局１１０とは別に通信端末機３１０に通信サービスを提供することができる。このとき、通信端末機３１０は、マクロ基地局１１０またはフェムト基地局２１０を通じて選択的に通信サービスを利用することができる。
【００２２】
一方、本実施形態において、マクロ基地局１１０がフェムト基地局２１０に端末隣接通知メッセージとフェムト駆動制御資源通知メッセージを個別的に伝送する例を開示したが、これに限定されるものではない。例えば、マクロ基地局１１０は、ステップＳ４１７で通信端末機３１０にホームセルの進入通知メッセージを伝送した後、ステップＳ４２３で通信端末機３１０にフェムト駆動制御資源割り当てメッセージを伝送することができる。この後、ステップＳ４２５で通信端末機３１０からフェムト駆動制御資源確認メッセージを受信するとき、マクロ基地局１１０は、ステップＳ４２７でフェムト基地局２１０にフェムト駆動制御資源通知メッセージを伝送することができる。このとき、マクロ基地局１１０は、フェムト駆動制御資源通知メッセージとともに、端末隣接通知メッセージを伝送することができる。すなわち、マクロ基地局１１０がステップＳ４１９で端末隣接通知メッセージを伝送し、ステップＳ４２１で端末隣接確認メッセージを受信しなくても、本発明の実現が可能である。
【００２３】
一方、上述した実施形態において、マクロ基地局１１０とフェムト基地局２１０との間の直接的な無線通信が可能な場合を開示したが、これに限定されるものではない。すなわち、マクロ基地局１１０とフェムト基地局２１０との間の間接的な無線通信を通じて、本発明を実現することも可能である。図５は、そのような例であって、本発明の第２実施形態に係る干渉制御手続きを示すシーケンス図である。このとき、フェムト基地局２１０がバックボーン（ｂａｃｋｂｏｎｅ）を通じてＳＯＮ（Ｓｅｌｆ−Ｏｒｇａｎｉｚｉｎｇ  Ｎｅｔｗｏｒｋｓ）サーバ４１０に連結された場合を仮定して説明する。
【００２４】
図５を参照すると、本実施形態の干渉制御手続きは、特定フェムト基地局２１０がステップＳ５１１で送信部をオフさせることから出発する。このとき、特定フェムト領域２００に通信端末機３１０が存在しなければ、該当フェムト領域２００のフェムト基地局２１０は送信部をオフさせることができる。この後、マクロ基地局１１０と通信端末機３１０がステップＳ５１３で相互接続する。すなわち、通信端末機３１０が図２に示すように、特定マクロセル１００へ進入するとき、該当マクロセル１００のマクロ基地局１１０と通信端末機３１０が相互接続する。これによって、マクロ基地局１１０は、マクロセル１００内の通信端末機３１０に通信サービスを提供することができる。
【００２５】
次に、通信端末機３１０と接続するとき、マクロ基地局１１０は、ステップＳ５１５で該当マクロセル１００が通信端末機３１０のホームセルであるか否かを判断する。ステップＳ５１５は、上述した図４のステップＳ４１５と類似する。
【００２６】
次に、ステップＳ５１５でホームセルであると判断されれば、マクロ基地局１１０は、ステップＳ５１７で通信端末機３１０にホームセルの進入通報メッセージを伝送する。すなわち、該当マクロセル１００が通信端末機３１０のホームセルであることを通信端末機３１０に通報する。このとき、マクロ基地局１１０は、通信端末機３１０にホームセル指示メッセージを伝送することができる。また、マクロ基地局１１０は、ステップＳ５１９でＳＯＮサーバ４１０に端末隣接通報メッセージを伝送する。フェムト基地局２１０に予め登録された通信端末機３１０が該当マクロセル１００へ進入したことをＳＯＮサーバ４１０に通報する。このとき、端末隣接通報メッセージの受信時、ＳＯＮサーバ４１０は、ステップＳ５２１でマクロ基地局１１０に端末隣接確認メッセージを伝送する。
【００２７】
続いて、マクロ基地局１１０は、ステップＳ５２３で通信端末機３１０にフェムト駆動制御資源割り当てメッセージを伝送する。すなわち、マクロ基地局１１０は、通信端末機３１０において特定目的、例えば、フェムト基地局２１０の送信部をオンまたはオフさせるためのフェムト駆動制御メッセージの伝送に利用するためのフェムト駆動制御資源を割り当て、これを通信端末機３１０に通知する。このとき、フェムト駆動制御資源メッセージの受信時、通信端末機３１０は、ステップＳ５２５でマクロ基地局１１０にフェムト駆動制御資源確認メッセージを伝送する。また、マクロ基地局１１０は、ステップＳ５２７でＳＯＮサーバ４１０にフェムト駆動制御資源通知メッセージを伝送する。すなわち、マクロ基地局１１０は、通信端末機３１０のフェムト駆動制御資源をＳＯＮサーバ４１０に通知する。このとき、フェムト駆動制御資源通知メッセージの受信時、ＳＯＮサーバ４１０は、ステップＳ５２８で該当フェムト基地局２１０にフェムト駆動制御資源通知メッセージを伝達する。すなわち、ＳＯＮサーバ４１０は、通信端末機３１０のフェムト駆動制御資源をフェムト基地局２１０に通知する。
【００２８】
続いて、フェムト駆動制御資源通知メッセージの受信時、フェムト基地局２１０は、ステップＳ５２９で通信端末機３１０のフェムト駆動制御資源をモニタリングする。また、通信端末機３１０は、ステップＳ５３１で該当フェムト駆動制御資源を通じてフェムト駆動制御メッセージを伝送する。また、通信端末機３１０は、予め設定された送信の強さでフェムト駆動制御メッセージを伝送する。図４のために上述したように、送信の強さは、通信端末機３１０が該当フェムト領域２００に位置するとき、フェムト基地局２１０がフェムト駆動制御メッセージを受信するための値として設定される。さらに、フェムト駆動制御メッセージは、該当通信端末機３１０のユーザ識別情報を含む。
【００２９】
最後に、フェムト駆動制御資源をモニタリングしてフェムト駆動制御メッセージを受信するとき、フェムト基地局２１０は、ステップＳ５３３で送信部をオンさせる。すなわち、フェムト基地局２１０は、該当フェムト領域２００で通信端末機３１０の存在を確認し、通信端末機３１０に通信サービスを提供するために送信部をオフ状態からオン状態に切り換える。このとき、フェムト基地局２１０は、フェムト駆動制御メッセージのユーザ識別情報を通じて通信端末機３１０が予め登録されているか否かを判断することができる。予め登録されたと判断されれば、フェムト基地局２１０は、送信部をオンさせることができる。この後、フェムト基地局２１０は、ステップＳ５３５で送信部を通じてフェムト情報をブロードキャストする。これによって、フェムト基地局２１０と通信端末機３１０が相互接続することができ、フェムト基地局２１０がマクロ基地局１１０とは別に通信端末機３１０に通信サービスを提供することができる。このとき、通信端末機３１０は、マクロ基地局１１０またはフェムト基地局２１０を通じて選択的に通信サービスを利用することができる。
【００３０】
一方、本実施形態において、マクロ基地局１１０がＳＯＮサーバ４１０に端末隣接通知メッセージとフェムト駆動制御資源通知メッセージを個別的に伝送する例を開示したが、これに限定されるものではない。すなわち、図５に示したような干渉制御方法は、ステップＳ５２１で端末隣接確認メッセージを受信しなくても、実現が可能である。
【００３１】
一方、本実施形態において、フェムト基地局２１０が送信部をオンまたはオフさせる例を開示したが、これに限定されるものではない。すなわち、フェムト基地局２１０は、送信部をオンまたはオフさせることと同時に、受信部をオンまたはオフさせることができる。このとき、フェムト基地局２１０は、バックボーンを通じてＳＯＮサーバ４１０に連結され、ステップＳ５２８でバックボーンを通じてフェムト駆動制御資源通知メッセージを受信することができる。これによって、フェムト基地局２１０は、無線信号を受信するための受信部をオン状態に維持させる必要がない。また、フェムト基地局２１０は、ステップＳ５３３で送信部とともに受信部をオンさせることができる。これによって、フェムト基地局２１０で受信部をオフさせても本発明の実現が可能であり、送信部および受信部をオフさせることによって、フェムト基地局２１０の電力消費を節減させることができる。
【００３２】
一方、上述した実施形態において、マクロ基地局１１０が独立的に通信端末機３１０にフェムト駆動制御資源を割り当てる例を開示したが、これに限定されるものではない。すなわち、ＳＯＮサーバ４１０は、マクロ基地局１１０とフェムト基地局２１０との間の無線通信を中継するだけでなく、マクロ基地局１１０で通信端末機３１０にフェムト駆動制御資源を割り当てるのに関与することができる。図６は、そのような例であって、本発明の第３実施形態に係る干渉制御手続きを示すシーケンス図である。このとき、フェムト基地局２１０がバックボーンを通じてＳＯＮサーバ４１０に連結された場合を仮定して説明する。
【００３３】
図６を参照すると、本実施形態の干渉制御手続きにおいてステップＳ６１１〜ステップＳ６１９は、上述したステップＳ５１１〜ステップＳ５１９と類似するので、詳細な説明を省略する。
【００３４】
端末隣接通知メッセージの受信時、ＳＯＮサーバ４１０は、ステップＳ６２１でマクロ基地局１１０にフェムト駆動制御資源要請メッセージを伝送する。ここで、ＳＯＮサーバ４１０は、通信端末機３１０において特定目的、例えば、フェムト基地局２１０の送信部をオンまたはオフさせるためのフェムト駆動制御メッセージの伝送に利用するためのフェムト駆動制御資源を決定し、これを割り当てることをマクロ基地局１１０に要請する。
【００３５】
続いて、フェムト駆動制御資源要請メッセージの受信時、マクロ基地局１１０は、ステップＳ６２３で通信端末機３１０にフェムト駆動制御資源割り当てメッセージを伝送する。すなわち、マクロ基地局１１０は、通信端末機３１０のフェムト駆動制御資源を割り当て、これを通信端末機３１０に通知する。このとき、フェムト駆動制御資源メッセージの受信時、通信端末機３１０は、ステップＳ６２５でマクロ基地局１１０にフェムト駆動制御資源確認メッセージを伝送する。
【００３６】
続いて、ＳＯＮサーバ４１０は、ステップＳ６２８でフェムト基地局２１０にフェムト駆動制御資源通知メッセージを伝送する。すなわち、ＳＯＮサーバ４１０は、通信端末機３１０のフェムト駆動制御資源をフェムト基地局２１０に通知する。
【００３７】
次に、ステップＳ６１９〜ステップＳ６３５は、ステップＳ５２９〜ステップＳ５３５と類似するので、詳細な説明を省略する。
【００３８】
本発明によれば、通信システムにおいて、通信端末機に干渉が発生することを抑制することができる。すなわち、フェムト基地局が送信部をオフさせることによって、フェムト基地局で不必要に信号を送信することを抑制することができる。ひいては、フェムト基地局が通信端末機との距離または通信端末機の登録有無によって送信部をオンさせる時点を判断することによって、フェムト基地局で不必要に信号を送信することをより効率的に抑制することができる。これによって、フェムト基地局で送信される信号によって、通信端末機に干渉が発生することを抑制することができる。これによって、通信システムにおいて、フェムト基地局の駆動時、通信端末機に発生可能な干渉を制御することができる。
【００３９】
一方、本明細書と図面に開示された本発明の実施形態は、本発明の技術内容を容易に説明し、本発明の理解を助けるために特定例を提示したものであるだけで、本発明の範囲を限定するものではない。すなわち、本発明の技術的思想に基づいた他の変形例が実施可能であることは、本発明が属する技術分野において通常の知識を有する者に自明である。
【符号の説明】
【００４０】
１００  マクロセル
１１０  マクロ基地局
２００  フェムト領域
２１０  フェムト基地局
３１０  通信端末機
４１０  ＳＯＮサーバ
【図１】
0005670922.tif 000002
【図２】
0005670922.tif 000003
【図３】
0005670922.tif 000004
【図４】
0005670922.tif 000005
【図５】
0005670922.tif 000006
【図６】
0005670922.tif 000007